(57)【要約】  本発明に係る行動改善システム（２００）は、複数のユーザによって構成される組織において情報交換が可能なネットワークシステムを用いて、当該ユーザの行動を分析する行動分析システムであって、目標情報（４００）を設定させる目標情報設定手段（２１０）と、行動実績情報（５００）と応対実績情報（６００）とを取得する実績情報取得手段（２２０）と、評価情報を取得する評価情報取得手段（２３０）と、前記評価情報に基づいて、前記複数のユーザのうち目標となるモデルユーザを選択するモデルユーザ選択手段（２４０）と、前記モデルユーザの目標情報、行動実績情報、および応対実績情報を提示するモデルユーザ情報提示手段（２５０）とを備え、目標となるモデルユーザの実績情報を提示することによって、診断者およびアドバイザー等に依存しなくとも、ユーザ各々が自律的に行動改善に取り組むことができる。
2019235333.tif 000002
【特許請求の範囲】
【請求項１】
複数のユーザによって構成される組織において情報交換が可能なネットワークシステムを用いて、ユーザに行動改善に取り組ませる行動改善システムであって、
前記ユーザの個人目標に関する目標情報を設定させる目標情報設定手段と、
前記ユーザによって入力される、前記個人目標に対する当該ユーザの行動に関する行動実績情報と当該ユーザ以外のユーザの行動に対する当該ユーザの応対に関する応対実績情報とを取得する実績情報取得手段と、
前記ユーザに関する評価情報を取得する評価情報取得手段と、
前記評価情報取得手段によって取得された評価情報に基づいて、前記複数のユーザのうち目標となるモデルユーザを選択するモデルユーザ選択手段と、
前記モデルユーザ選択手段によって選択されたモデルユーザの目標情報、行動実績情報、および応対実績情報を提示するモデルユーザ情報提示手段とを備える、行動改善システム。
【請求項２】
前記目標情報は、所定期間を要して達成し得る結果目標に関する情報と、当該結果目標を達成するために必要な行動目標とに関する情報を含むことを特徴とする、請求項１に記載の行動改善システム。
【請求項３】
前記行動実績情報は、前記結果目標および行動目標に対する達成度に関する情報を含むことを特徴とする、請求項２に記載の行動改善システム。
【請求項４】
前記応対実績情報は、前記ユーザ以外のユーザの行動に対する承認および／または激励に関する情報を含むことを特徴とする、請求項１乃至請求項３のいずれかに記載の行動改善システム。
【請求項５】
前記モデルユーザ情報提示手段によってモデルユーザの目標情報、行動実績情報、および応対実績情報が提示された後、前記評価情報取得手段によって取得される評価情報をフィードバックするフィードバック手段を、さらに備える、請求項１乃至請求項４のいずれかに記載の行動改善システム。
【請求項６】
前記モデルユーザ選択手段は、前記複数のユーザのうち、当該ユーザと同一グループに属するユーザから前記モデルユーザを選択することを特徴とする、請求項１乃至請求項５のいずれかに記載の行動改善システム。
【請求項７】
前記グループは、ユーザの職種、職位、年齢、個人目標、および行動性向の少なくともいずれかが共通することに応じて構成されることを特徴とする、請求項６に記載の行動改善システム。
【請求項８】
前記評価情報は、前記ユーザの成績を示す成績情報であることを特徴とする、請求項１乃至請求項７のいずれかに記載の行動改善システム。
【請求項９】
前記評価情報は、前記ユーザのストレス状態を示すストレス情報であることを特徴とする、請求項１乃至請求項８のいずれかに記載の行動改善システム。
【請求項１０】
前記ユーザの目標情報、行動実績情報、および応対実績情報と、前記モデルユーザの目標情報、行動実績情報、および応対実績情報とを比較し、当該ユーザの個人目標、当該ユーザの行動、当該ユーザ以外のユーザの行動に対する当該ユーザの応対に対する改善点を分析する改善点分析手段と、
前記改善点分析手段によって分析された改善点に応じたレコメンドを提示するレコメンド提示手段とを、さらに備える、請求項１乃至請求項９のいずれかに記載の行動改善システム。
【請求項１１】
前記実績情報取得手段によって取得された行動実績情報および応対実績情報と、前記評価情報取得手段によって取得された評価情報との相関関係を分析する相関関係分析手段を、さらに備える、請求項１乃至請求項１０のいずれかに記載の行動改善システム。
【請求項１２】
所定のタイミングで前記ユーザにアンケートを促し、当該ユーザからのアンケート結果に基づいて当該ユーザの心理状態を示すモチベーション情報を取得するモチベーション情報取得手段を、さらに備え、
前記相関関係分析手段は、前記行動実績情報、前記応対実績情報、前記評価情報、および前記モチベーション情報の相関関係を分析することを特徴とする、請求項１１に記載の行動改善システム。
【請求項１３】
前記所定のタイミングは、前記ユーザによって個人目標が設定された際、前記ユーザによって行動実績情報および応対実績情報が入力された際、または一定期間毎であることを特徴とする、請求項１２に記載の行動改善システム。
【請求項１４】
前記ユーザの健康状態を示す健康情報を取得する健康情報取得手段を、さらに備え、
前記相関関係分析手段は、前記行動実績情報、前記応対実績情報、前記評価情報、および前記健康情報の相関関係を分析することを特徴とする、請求項１１乃至請求項１３のいずれかに記載の行動改善システム。
【請求項１５】
複数のユーザによって構成される組織において情報交換が可能なネットワークシステムを用いて、ユーザに行動改善に取り組ませる行動改善システムが実行する行動改善方法であって、
前記ユーザの個人目標に関する目標情報を設定させる目標情報設定ステップと、
前記ユーザによって入力される、前記個人目標に対する当該ユーザの行動に関する行動実績情報と当該ユーザ以外のユーザの行動に対する当該ユーザの応対に関する応対実績情報とを取得する実績情報取得ステップと、
前記ユーザに関する評価情報を取得する評価情報取得ステップと、
前記評価情報取得ステップで取得された評価情報に基づいて、前記複数のユーザのうち目標となるモデルユーザを選択するモデルユーザ選択ステップと、
前記モデルユーザ選択ステップで選択されたモデルユーザの目標情報、行動実績情報、および応対実績情報を提示するモデルユーザ情報提示ステップとを含む、行動改善方法。
【発明の詳細な説明】
【技術分野】
【０００１】
本発明は、ユーザに行動改善に取り組ませる行動改善システムに関し、より特定的には、複数のユーザによって構成される組織において情報交換が可能なネットワークシステムを用いて、当該ユーザに行動改善に取り組ませる行動改善システムに関する。
【背景技術】
【０００２】
一般的に、会社や学校等の組織においては、個人が目標を設定し、その目標に対しての達成度を判定することによって、当該個人の実績を評価する人事評価制度が採用されている。このような人事評価制度では、客観性および公平性が求められており、様々な工夫がなされている。個人が設定した目標に対して、当該個人がその達成度を判定するとともに、当該個人の上司や管理者がその達成度をさらに判定して、当該個人の実績を客観的に判定するようにしている。【０００３】
そして、このような人事評価制度はシステム化され、会社や学校等の様々な組織で広く導入されている。【０００４】
また、近年では、単に、当該個人の実績を判定するだけでなく、反省点や改善点等も合わせて分析し、当該個人のキャリアアップや今後の生産性の向上を図るようなシステムも普及している。【０００５】
例えば、個人の行動について当該個人に気付きを与えることによって行動の変革に資する行動改善システムに関する技術がある（特許文献１参照）。具体的には、特許文献１に記載の行動改善システムは、メンバーが自らアクションプランを設定し、当該設定したアクションプランに沿って行動をチェックするとともに、自己診断と、他者（診断者）の診断とのギャップを確認する。さらには、診断結果をもとに得られるアドバイザーによる助言に基づいて、より質の高い行動改善を促すことができる。
【先行技術文献】
【特許文献】
【０００６】
【特許文献１】国際公開第２００７／０６３６０５号
【発明の概要】
【発明が解決しようとする課題】
【０００７】
しかしながら、特許文献１に記載の行動改善システムでは、自己の行動について他者（診断者）が診断し、さらには、アドバイザーが行動改善に関する助言を提供することから、適切な診断者およびアドバイザーが存在しなければならず、当該診断者およびアドバイザーにも大きな負担が掛かる。【０００８】
それ故に、本発明は、上記のような課題に鑑みてなされたものであって、本発明の目的の１つは、目標となるモデルユーザの実績情報を提示することによって、診断者およびアドバイザー等に依存しなくとも、ユーザ各々が自律的に行動改善に取り組むことができる行動改善システムを提供することである。
【課題を解決するための手段】
【０００９】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。【００１０】
本発明の一局面に係る行動改善システムは、複数のユーザによって構成される組織において情報交換が可能なネットワークシステムを用いて、当該ユーザに行動改善に取り組ませる行動分析システムであって、前記ユーザの個人目標に関する目標情報を設定させる目標情報設定手段と、前記ユーザによって入力される、前記個人目標に対する当該ユーザの行動に関する行動実績情報と当該ユーザ以外のユーザの行動に対する当該ユーザの応対に関する応対実績情報とを取得する実績情報取得手段と、前記ユーザに関する評価情報を取得する評価情報取得手段と、前記評価情報取得手段によって取得された評価情報に基づいて、前記複数のユーザのうち目標となるモデルユーザを選択するモデルユーザ選択手段と、前記モデルユーザ選択手段によって選択されたモデルユーザの目標情報、行動実績情報、および応対実績情報を提示するモデルユーザ情報提示手段とを備える。
かかる構成により、本発明の一局面に係る行動改善システムは、目標となるモデルユーザの実績情報を提示するため、診断者およびアドバイザー等に依存しなくとも、ユーザ各々が自律的に行動改善に取り組むことができる。【００１１】
また、好ましくは、前記目標情報は、所定期間を要して達成し得る結果目標に関する情報と、当該結果目標を達成するために必要な行動目標とに関する情報を含むことを特徴とする。
かかる構成により、本発明の一局面に係る行動改善システムは、前記目標情報が結果目標と行動目標とを含んでいるため、より具体的に、ユーザ各々が自律的に行動改善に取り組むことができる。【００１２】
また、好ましくは、前記行動実績情報は、前記結果目標および行動目標に対する達成度に関する情報を含むことを特徴とする。
かかる構成により、本発明の一局面に係る行動改善システムは、実績をより詳細に確認できるとともに、目標までの位置を確認することができるため、ユーザのモチベーション向上にも繋がる。【００１３】
また、好ましくは、前記応対実績情報は、前記ユーザ以外のユーザの行動に対する承認および／または激励に関する情報を含むことを特徴とする。
かかる構成により、本発明の一局面に係る行動改善システムは、他ユーザに対する関心度を確認することができるとともに、当該情報に基づいて、さらにユーザ各々が自律的に行動改善に取り組むことができる。【００１４】
また、好ましくは、前記モデルユーザ情報提示手段によってモデルユーザの目標情報、行動実績情報、および応対実績情報が提示された後、前記評価情報取得手段によって取得される評価情報をフィードバックするフィードバック手段を、さらに備える。
かかる構成により、本発明の一局面に係る行動改善システムは、より的確にモデルユーザを選択することができるようになる。【００１５】
また、好ましくは、前記モデルユーザ選択手段は、前記複数のユーザのうち、当該ユーザと同一グループに属するユーザから前記モデルユーザを選択することを特徴とする。
かかる構成により、本発明の一局面に係る行動改善システムは、当該ユーザの身近なモデルユーザの目標情報、行動実績情報、および応対実績情報を確認することができ、理想的で現実的な行動改善に取り組むことができる。【００１６】
また、好ましくは、前記グループは、ユーザの職種、職位、年齢、個人目標、および行動性向の少なくともいずれかが共通することに応じて構成されることを特徴とする。
かかる構成により、本発明の一局面に係る行動改善システムは、当該ユーザと境遇を共にする身近なモデルユーザの目標情報、行動実績情報、および応対実績情報を確認することができ、より理想的で現実的な行動改善に取り組むことができる。【００１７】
また、好ましくは、前記評価情報は、前記ユーザの成績を示す成績情報であることを特徴とする。
かかる構成により、本発明の一局面に係る行動改善システムは、客観的な評価情報に基づいてモデルユーザを選択するため、適切な行動改善に取り組むことができる。【００１８】
また、好ましくは、前記評価情報は、前記ユーザのストレス状態を示すストレス情報であることを特徴とする。
かかる構成により、本発明の一局面に係る行動改善システムは、客観的なストレス情報に基づいてモデルユーザを選択するため、適切なストレス状態に関して行動改善に取り組むことができる。【００１９】
また、好ましくは、前記ユーザの目標情報、行動実績情報、および応対実績情報と、前記モデルユーザの目標情報、行動実績情報、および応対実績情報とを比較し、当該ユーザの個人目標、当該ユーザの行動、当該ユーザ以外のユーザの行動に対する当該ユーザの応対に対する改善点を分析する改善点分析手段と、前記改善点分析手段によって分析された改善点に応じたレコメンドを提示するレコメンド提示手段とを、さらに備える。
かかる構成により、本発明の一局面に係る行動改善システムは、当該ユーザの改善点を分析してレコメンドを提示するため、診断者およびアドバイザー等に依存しなくとも、より容易に、ユーザ各々が自律的に行動改善に取り組むことができる。【００２０】
また、好ましくは、前記実績情報取得手段によって取得された行動実績情報および応対実績情報と、前記評価情報取得手段によって取得された評価情報との相関関係を分析する相関関係分析手段を、さらに備える。
かかる構成により、本発明の一局面に係る行動改善システムは、客観的な結果に対する要因を把握することができるため、より適切にユーザ各々が自律的に行動改善に取り組むことができる。【００２１】
また、好ましくは、所定のタイミングで前記ユーザにアンケートを促し、当該ユーザからのアンケート結果に基づいて当該ユーザの心理状態を示すモチベーション情報を取得するモチベーション情報取得手段を、さらに備え、前記相関関係分析手段は、前記行動実績情報、前記応対実績情報、前記評価情報、および前記モチベーション情報の相関関係を分析することを特徴とする。
かかる構成により、本発明の一局面に係る行動改善システムは、モチベーション情報も含めて、客観的な結果に対する要因をさらに詳細に把握することができるため、より適切にユーザ各々に応じて自律的に行動改善に取り組むことができる。【００２２】
また、好ましくは、前記所定のタイミングは、前記ユーザによって個人目標が設定された際、前記ユーザによって行動実績情報および応対実績情報が入力された際、または一定期間毎であることを特徴とする。
かかる構成により、本発明の一局面に係る行動改善システムは、状況に応じてより正確な情報を取得し、客観的な結果に対する要因もより正確に把握することができるため、より適切にユーザ各々に応じて自律的に行動改善に取り組むことができる。【００２３】
また、好ましくは、前記ユーザの健康状態を示す健康情報を取得する健康情報取得手段を、さらに備え、前記相関関係分析手段は、前記行動実績情報、前記応対実績情報、前記評価情報、および前記健康情報の相関関係を分析することを特徴とする。
かかる構成により、本発明の一局面に係る行動改善システムは、健康情報も含めて、客観的な結果に対する要因をさらに詳細に把握することができるため、より適切にユーザ各々に応じて自律的に行動改善に取り組むことができる。【００２４】
さらに、上述した本発明の一局面に係る行動改善システムが行うそれぞれの処理は、一連の処理手順を与える行動改善方法として捉えることができる。この方法は、一連の処理手順をコンピュータに実行させるためのプログラムの形式で提供される。このプログラムは、所定のサーバからダウンロードする形態で、プログラムが格納された所定のサーバにインターネット経由でアクセスする形態で、もしくはコンピュータで読み取り可能な記録媒体に記録された形態で、コンピュータに導入されてもよい。また、上述した本発明の一局面に係る行動改善システムを構成する一部又は全部の機能ブロックは、集積回路であるＬＳＩ（Ｌａｒｇｅ−Ｓｃａｌｅ  Ｉｎｔｅｇｒａｔｉｏｎ）等として実現されてもよい。
【発明の効果】
【００２５】
以上のように、本発明によれば、目標となるモデルユーザの実績情報を提示することによって、診断者およびアドバイザー等に依存しなくとも、ユーザ各々が自律的に行動改善に取り組むことができる行動改善システムを実現することができる。
【図面の簡単な説明】
【００２６】
【図１】本発明のシステム構成を示す概要図である。
【図２】本発明の第１の実施形態に係る行動改善システム２００における各機能を示す機能ブロック図である。
【図３】本発明の第１の実施形態に係る行動改善システム２００が実行する行動改善方法３００を示すフローチャートである。
【図４】ユーザ毎に設定される個人目標に関する目標情報４００を示す図である。
【図５】目標情報４００において設定されている行動目標に対する、ユーザの行動に関する行動実績情報５００を示す図である。
【図６】ユーザの行動に関する行動実績情報５００に対する、他のユーザからの応対に関する応対実績情報６００を示す図である。
【図７】本発明の第１の実施形態に係る行動改善システム２００において、利用登録されるユーザ毎の情報であるユーザ情報７００を示す図である。
【図８】本発明の第１の実施形態に係る行動改善システム２００において、利用登録されている複数のユーザのうち目標となるモデルユーザの目標情報（Ａ）および行動実績情報／応対実績情報（Ｂ）を示す図である。
【図９】本発明の第２の実施形態に係る行動改善システム９００における各機能を示す機能ブロック図である。
【図１０】本発明の第３の実施形態に係る行動改善システム１０００における各機能を示す機能ブロック図である。
【図１１】本発明の第２の実施形態に係る行動改善システム９００にフィードバック手段１０１０を付加した行動改善システム１１００における各機能を示す機能ブロック図である。
【発明を実施するための形態】
【００２７】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００２８】
＜第１の実施形態＞
図１は、本発明のシステム構成を示す概要図である。図１において、サーバ、データベース（ＤＢ）、および複数のユーザがそれぞれ操作する端末（例えば、パソコンおよびスマートフォン等）でシステムが構成されている。
【００２９】
サーバや各種端末は、例えば、インターネットを介して接続されており、さらには、複数のユーザによってネットワークが形成されている。当該形成されるネットワークは、例えば、会社、部署、職場、地域、学校、塾、クラス、プロジェクト、クラブ、サークル、趣味、および世代単位で構成され、近年普及している所謂ソーシャルネットワーキングサービス（ＳＮＳ）に相当するものである。
【００３０】
ここでは、ユーザＡ〜ユーザＥによって構成される組織ａにおいてお互いに情報交換が可能であって、ユーザＦ〜ユーザＨによって構成される組織ｂにおいてお互いに情報交換が可能であるネットワークシステムが構築されている。各ユーザは、ＩＤやパスワードを用いて自身が所属するネットワークに参加可能となっている。
【００３１】
このようなネットワークシステムを実現するためには、例えば、プログラムやアプリケーションをサーバおよびクライアントで動作させるようにし、典型的には、サーバ‐クライアントシステムで構築される。
【００３２】
図２は、本発明の第１の実施形態に係る行動改善システム２００における各機能を示す機能ブロック図であり、図３は、本発明の第１の実施形態に係る行動改善システム２００が実行する行動改善方法３００を示すフローチャートである。
【００３３】
図２において、行動改善システム２００は、目標情報設定手段２１０と、実績情報取得手段２２０と、評価情報取得手段２３０と、モデルユーザ選択手段２４０と、モデルユーザ情報提示手段２５０とを備える。図３において、行動改善方法３００は、目標情報設定ステップＳ３１０と、実績情報取得ステップＳ３２０と、評価情報取得ステップＳ３３０と、モデルユーザ選択ステップＳ３４０と、モデルユーザ情報提示ステップＳ３５０とを含む。
【００３４】
［目標情報設定ステップ］
目標情報設定ステップＳ３１０において、目標情報設定手段２１０は、ユーザ毎に個人目標に関する目標情報を設定させる。ここで、目標情報とは、所定期間を要して達成し得る結果目標に関する情報と、当該結果目標を達成するために必要な行動目標と関する情報とを含む。
【００３５】
より具体的には、例えば、行動改善システム２００を職場に導入する場合には、各ユーザ（従業員）は、１年間の個人目標を結果目標として設定する。そして、各ユーザは、当該結果目標を達成するために、どのような行動をする必要があるかを考え、当該行動を行動目標として設定する。
【００３６】
図４は、ユーザ毎に設定される個人目標に関する目標情報４００を示す図である。図４において、ユーザＡは、年間売上１０００万円を結果目標として設定し、当該結果目標を達成するために必要な行動として、１日当たり新規営業２件および情報収集２時間を行動目標として設定している。ユーザＢおよびユーザＣについても、それぞれ図４に示すように結果目標と行動目標とを設定している。
【００３７】
これらの目標設定は、典型的には、各ユーザ端末から、年始、期初、新学期、プロジェクト開始時、および勉強開始時等に実施されるが、これらに限定されるものではなく、行動改善システム２００を利用する目的およびユーザの状況によって適宜実施されればよい。
【００３８】
このように、所定期間を要して達成し得る結果目標に関する情報と、当該結果目標を達成するために必要な行動目標と関する情報とによって、ユーザは直近の目標を具体的に身近に捉えることができる。
【００３９】
［実績情報取得ステップＳ３２０］
実績情報取得ステップＳ３２０において、実績情報取得手段２２０は、ユーザによって入力される行動実績情報と応対実績情報とを取得する。ここで、行動実績情報とは、目標情報設定ステップＳ３１０で設定された個人目標に対するユーザの行動に関する情報であって、例えば、各ユーザが自身の行動を都度入力した情報がメモリやＤＢ等の記録手段に記録されている。
【００４０】
図５は、目標情報４００において設定されている行動目標に対する、ユーザの行動に関する行動実績情報５００を示す図である。例えば、目標情報設定ステップＳ３１０で、ユーザＡが年間売上１０００万円を結果目標として設定し、１日当たり新規営業２件および情報収集２時間を行動目標として設定した場合（図４参照）、ユーザＡは、自身が設定した行動目標を実施したか否かを入力する。ここでは、５月１４日は、新規営業２件および情報収集２時間を実施し、５月１５日は、新規営業２件のみを実施したとチェックしている。
【００４１】
なお、ここでは、設定した行動目標を実施したかをチェックすることによって、行動実績情報を入力しているが、入力手段はこれに限定されるものではなく、例えば、設定した行動目標に対する達成度を入力することによって行動実績情報を入力しても構わない。ユーザＡの設定した行動目標で例示すると、新規営業２件の行動目標に対して、行動実績が新規営業０件の場合は「０」、行動実績が新規営業１件の場合は「１」、行動実績が新規営業２件の場合は「２」と入力すればよい。さらに、ユーザの入力に応じて、０％、５０％、１００％と表示しても構わないし、グラフ等を用いて表示しても構わない。
【００４２】
なお、ここでは、ユーザＡが行動目標を１日単位（１日で実施する行動内容）で設定しているため、行動実績情報は、典型的には１日１回入力して、当該入力を毎日繰り返すことになる。ただし、１日１回の入力に限定されるものではなく、数日に１回、数日分まとめて入力しても構わないし、行動目標の項目数に合わせて１日に２回入力しても構わない。一方、入力しない場合には、実施したか否かに関する情報に加えて、「入力していない」または「ログインしていない」旨のステータスを設けても構わない。
【００４３】
さらに、ここでは、行動目標に対する行動実績を例示しているが、結果目標に対する実績および／または達成度を行動実績として入力するようにしても構わない。ユーザにとって入力に手間が掛かる可能性はあるが、実績をより詳細に確認できるとともに、目標までの位置を確認することができるため、モチベーション向上にも繋がる。
【００４４】
次に、応対実績情報について説明する。応対実績情報とは、実績情報取得ステップＳ３２０でユーザが入力する行動実績に対して、他のユーザが応対する情報であって、例えば、各ユーザの応対を都度入力した情報がメモリやＤＢ等の記録手段に記録されている。
【００４５】
図６は、ユーザの行動に関する行動実績情報５００に対する、他のユーザからの応対に関する応対実績情報６００を示す図である。例えば、図４を用いて説明したように、ユーザＡは、５月１４日に新規営業２件および情報収集２時間を実施し、５月１５日に新規営業２件のみを実施した場合、ここでは、これに対してユーザＡ以外のユーザが「いいね」および「頑張れ」を示す応対を付与することによって、ユーザＡの行動を承認および激励している。
【００４６】
「いいね」および「頑張れ」を示す応対は、１ユーザのみに限らず、複数のユーザからそれぞれ付与される可能性がある。
【００４７】
なお、応対情報は、「いいね」および「頑張れ」に限定されるものでなく、例えば、その他のメッセージ、スタンプや絵文字であっても構わないし、点数等であっても構わない。
【００４８】
上述のように、実績情報取得ステップＳ３２０において入力・更新される、行動実績情報および応対実績情報は、ユーザが入力・更新した際に、ネットワーク（組織）を形成する他のユーザに通知するように設定することが好ましい。ユーザの入力に対して他のユーザが即時に応対すれば、その時の状況に応じた適切な応対実績情報を反映することができる。
【００４９】
「いいね」および「頑張れ」で示される応対を付与する行為で、他ユーザへの関心度を測ることができるとともに、当該応対情報を付与された（受領した）ユーザは、モチベーション向上に貢献するという効果も期待できる。
【００５０】
［評価情報取得ステップ］
評価情報取得ステップＳ３３０において、評価情報取得手段２３０は、ユーザに関する評価情報を取得する。ここで、評価情報とは、ユーザの評価を客観的に示す情報であって、本実施形態では、例えば、人事部から取得する、ユーザの成績を示す成績情報である。
【００５１】
［モデルユーザ選択ステップ］
モデルユーザ選択ステップＳ３４０において、モデルユーザ選択手段２４０は、評価情報取得ステップＳ３３０で取得された評価情報に基づいて、複数のユーザのうち目標となるモデルユーザを選択する。より具体的には、モデルユーザは、成績優秀者であって、当該ユーザが目標とするような理想的なユーザであり、好ましくは、当該ユーザと境遇を共にする身近なユーザを選択する。
【００５２】
図７は、本発明の第１の実施形態に係る行動改善システム２００において、利用登録されるユーザ毎の情報であるユーザ情報７００を示す図である。図７において、例えば、ユーザＡにおけるモデルユーザを選択する場合、営業のユーザのうち成績優秀者をモデルユーザとして選択しても構わないし、管理職のユーザのうち成績優秀者をモデルユーザとして選択しても構わないし、さらには、営業かつ管理職のうち成績優秀者をモデルユーザとして選択しても構わない。
【００５３】
このように、当該ユーザと同一グループに属し、当該ユーザと境遇を共にする身近なユーザの中からモデルユーザを選択するため、当該モデルユーザを模範とすることが現実的に感じられる。
【００５４】
［モデルユーザ情報提示ステップ］
モデルユーザ情報提示ステップＳ３５０において、モデルユーザ情報提示手段２５０は、モデルユーザ選択ステップＳ３４０で選択されたモデルユーザの目標情報、行動実績情報、および応対実績情報を提示する。
【００５５】
図８は、本発明の第１の実施形態に係る行動改善システム２００において、利用登録されている複数のユーザのうち目標となるモデルユーザの目標情報（Ａ）および行動実績情報／応対実績情報（Ｂ）を示す図である。例えば、モデルユーザ選択ステップＳ３４０において、営業で最も成績の良いユーザがモデルユーザとして選択された場合、図８に示すように、当該ユーザの目標情報および行動実績／応対実績情報が提示される。
【００５６】
ここでは、モデルユーザの結果目標、行動目標、およびそれらの達成率、ログイン回数、実績情報の更新回数、「いいね」受領数、および「いいね」付与数を提示している。提示されたモデルユーザの目標情報および行動実績／応対実績情報を確認し、ユーザは、当該モデルユーザを模範として取り組むように検討することができる。
【００５７】
また、本システムは、所謂ＳＮＳに相当するシステム構成を有していることから、ユーザは、日常の出来事やイベントについて、コメントおよび／または写真を投稿したり、一般記事や他人の投稿をシェアしたりすることができるようにしていても構わない。この場合、それらの情報やそれらの情報の集計（例えば、コメント数や投稿数等）もモデルユーザの情報として提示するようにしても構わない。
【００５８】
ユーザは、モデルユーザの結果目標の設定内容やそれに対する行動目標の設定内容を参考にし、自身の結果目標および行動目標の設定内容と比較しながら、今後の行動改善に取り組むようにしても構わない。例えば、結果目標および行動目標の設定内容が、具体的か抽象的か、詳細に設定しているか、高い理想か、現実的か等々を確認する。
【００５９】
また、ユーザは、モデルユーザのログイン頻度、実績情報の更新頻度、「いいね」受領数、および「いいね」付与数を参考にし、自身の行動実績および応対実績と比較しながら、今後の行動改善に取り組むようにしても構わない。例えば、頻繁にログインしているか、行動実績情報を頻繁に更新しているか、応対情報として他メンバーの実績に対して「いいね」等の応対を頻繁にしているか、他メンバーからの「いいね」をどのくらい受領しているか等を確認する。
【００６０】
上述したように、当該モデルユーザは、自身と境遇を共にする身近なユーザから選択されていることから、当該モデルユーザの目標情報および行動実績／応対実績情報は非常に模範にし易く、ユーザは、理想的で現実的な行動改善に取り組むことができる。
【００６１】
なお、典型的には、モデルユーザ選択ステップＳ３４０で選択された１人のモデルユーザの目標情報および行動実績／応対実績情報を提示するが、モデルユーザ選択ステップＳ３４０で複数のモデルユーザを選択するようにすれば、当該複数のモデルユーザの情報を提示するようにしても構わない。モデルユーザは、当該ユーザと境遇を共にするユーザのうち成績優秀者を選択するが、例えば、他職種で同職位、同職種で他職位、行動性向が同一等から、それぞれ成績優秀者を選択し、選択された複数のモデルユーザの目標情報および行動実績／応対実績情報を提示する。
【００６２】
さらに、モデルユーザだけでなく、当該ユーザの目標情報および行動実績／応対実績情報も合わせて提示するようにしても構わない。その結果、当該ユーザの情報とモデルユーザの情報とを比較し易くなり、両者の差異点が明確に理解できるようになる。また、行動改善システム２００において、当該差異点を分析して提示するようにしても構わない。
【００６３】
以上のように、本発明の第１の実施形態に係る行動改善システム２００および行動改善方法３００によれば、目標となるモデルユーザの実績情報を提示するため、診断者およびアドバイザー等に依存しなくとも、ユーザ各々が自律的に行動改善に取り組むことができる。
【００６４】
なお、本実施形態では、ユーザ情報７００におけるグループとして、ユーザの職種、職位、年齢、個人目標、および行動性向を例示したが、これらに限定されるものではなく、例えば、性別、部署、ジョブグレード、入社期、経歴、および過去成績等であっても構わない。行動改善システム２００および行動改善方法３００を利用するユーザや状況、環境に応じて適宜設定すれば良い。
【００６５】
また、本実施形態では、評価情報は、成績情報を例示したが、これに限定されるものではなく、例えば、ユーザのストレス状態を示すストレス情報等を用いても構わない。客観的なストレス情報に基づいてモデルユーザを選択すれば、ユーザは、適切なストレス状態に関して行動改善に取り組むことができる。
【００６６】
また、本実施形態では、行動改善システム２００および行動改善方法３００を、典型的には職場等で利用するものとして説明したが、これに限定されるものではなく、例えば、学校や塾、予備校等の教育現場で利用しても構わないし、その他、運動系および文科系のクラブ、野球チーム、サッカーチーム、スポーツクラブ、ゴルフサークル等で利用しても構わない。
【００６７】
例えば、教育現場で利用する場合、志望校合格やテストの点数等を結果目標として設定し、１日の勉強時間やテキストの進捗等を行動目標として設定する。志望校へ合格したユーザ（先輩）やテストの成績優秀者をモデルユーザとして選択すれば、当該モデルユーザを模範として、ユーザ各々が自律的に行動改善に取り組むことができる。
【００６８】
＜第２の実施形態＞
次に、本発明の第２の実施形態では、第１の実施形態で説明した行動改善システム２００に加えて、改善点を分析してレコメンドを提示する行動改善システムについて説明する。
【００６９】
図９は、本発明の第２の実施形態に係る行動改善システム９００における各機能を示す機能ブロック図である。なお、図９において、図２に示した本発明の第１の実施形態に係る行動改善システム２００と同一の構成については、同一の参照符号を付すことによって、詳細な説明は省略する。本実施形態では、主に、本発明の第１の実施形態と異なる構成について説明する。
【００７０】
図９において、行動改善システム９００は、目標情報設定手段２１０と、実績情報取得手段２２０と、評価情報取得手段２３０と、モデルユーザ選択手段２４０と、モデルユーザ情報提示手段２５０と、改善点分析手段９１０と、レコメンド提示手段９２０と備える。
【００７１】
改善点分析手段９１０は、当該ユーザの改善点を分析する。より具体的には、当該ユーザと、モデルユーザ選択手段２４０によって選択されたモデルユーザとにおける、目標情報、行動実績情報、および応対実績情報を比較し、その相違点を分析する。
【００７２】
例えば、同一職種、同一職位であるにもかかわらず、当該ユーザがモデルユーザに比べて、設定した目標が低い、行動目標が具体的でない、ログイン頻度が低い、「いいね」付与が少ない等、成績情報への影響を分析する。なお、これらの分析は、予め規則に基づいて設定されていても構わないし、データが蓄積されることによって当該規則を更新したり、ＡＩ（Ａｒｔｉｆｉｃｉａｌ  Ｉｎｔｅｌｌｉｇｅｎｃｅ：人工知能）を用いて更新したりしても構わない。
【００７３】
レコメンド提示手段９２０は、改善点分析手段９１０によって分析された改善点に応じたレコメンドを提示する。例えば、行動目標に対する達成率が低いユーザには「毎日コツコツ頑張りましょう」、ログイン頻度が低いユーザには「ログイン回数を増やしましょう」等とメッセージを提示する。また、結果目標の達成率が相当低いユーザには、目標設定を見直すメッセージを提示したり、その他ユーザの目標情報を参考に提示したりしても構わない。
【００７４】
さらに、レコメンド提示手段９２０は、行動改善に繋がるメッセージに限定されるものではなく、例えば、ユーザの行動を評価するメッセージや奮起を促すメッセージ、ユーザのモチベーションを向上させるメッセージ等を提示するようにしても構わない。これらのメッセージは、当該ユーザの目標に対する達成率、当該ユーザとモデルユーザとの差異、当該ユーザの職位、職種、年齢や行動性向等に応じて予め対応付けて設定されていても構わないし、データの蓄積に応じて更新したり、ＡＩを用いて更新したりしても構わない。
【００７５】
以上のように、本発明の第２の実施形態に係る行動改善システム９００によれば、第１の実施形態に係る行動改善システム２００に加えて、改善点分析手段９１０およびレコメンド提示手段９２０を備えるため、診断者およびアドバイザー等に依存しなくとも、より容易に、ユーザ各々が自律的に行動改善に取り組むことができる。
【００７６】
＜第３の実施形態＞
次に、本発明の第３の実施形態では、第１の実施形態で説明した行動改善システム２００に加えて、モデルユーザを模範としてユーザ各々が自立的に行動改善に取り組んだ結果をフィードバックする行動改善システムについて説明する。
【００７７】
図１０は、本発明の第３の実施形態に係る行動改善システム１０００における各機能を示す機能ブロック図である。なお、図１０において、図２に示した本発明の第１の実施形態に係る行動改善システム２００と同一の構成については、同一の参照符号を付すことによって、詳細な説明は省略する。本実施形態では、主に、本発明の第１の実施形態と異なる構成について説明する。
【００７８】
図１０において、行動改善システム９００は、目標情報設定手段２１０と、実績情報取得手段２２０と、評価情報取得手段２３０と、モデルユーザ選択手段２４０と、モデルユーザ情報提示手段２５０と、フィードバック手段１０１０と備える。
【００７９】
ユーザには、モデルユーザ情報提示手段２５０によってモデルユーザの目標情報、行動実績情報、および応対実績情報が提示される。当該ユーザは、提示されたモデルユーザの目標情報、行動実績情報、および応対実績情報を参照し、行動目標および／または結果目標を変更したり、行動および／または応対を改善したりする。その結果、モデルユーザの目標情報、行動実績情報、および応対実績情報が提示される前後において評価情報に変化をもたらす。
【００８０】
フィードバック手段１０１０は、モデルユーザの目標情報、行動実績情報、および応対実績情報が提示される前後における評価情報の変化をフィードバックする。例えば、成績が上昇していれば、モデルユーザの目標情報、行動実績情報、および応対実績情報を提示したことによる効果があったものと判断し、さらに、当該ユーザへのモデルユーザの選択は適切であったと記録する。一方、成績が変化なく、または下降していれば、モデルユーザの目標情報、行動実績情報、および応対実績情報を提示したことによる効果はなかったものと判断し、当該ユーザへのモデルユーザの選択は適切ではなかったと記録する。
【００８１】
このように、モデルユーザの目標情報、行動実績情報、および応対実績情報が提示される前後における評価情報の変化をフィードバックし、当該モデルユーザの選択の適否を蓄積していくことによって、以降のモデルユーザの選択に活かすことができる。モデルユーザ選択手段２４０は、評価情報に基づいて、複数のユーザのうち目標となるモデルユーザを選択するが、その際、フィードバックによって蓄積されたデータに基づいて選択すれば、より最適なモデルユーザを選択することができる。
【００８２】
また、フィードバックは、成績などの評価情報の変化に限定されるものではなく、例えば、目標情報や実績情報などの変化について行っても構わない。成績などの評価情報に変化がなくとも、日々の行動に変化があるかを判断することによって、モチベーションが向上しているかなどを判断することができる。
【００８３】
さらに、これらの情報は、ＡＩを用いて分析しつつ、モデルユーザの選択をするようにしても構わない。
【００８４】
なお、ここでは、第１の実施形態で説明した行動改善システム２００にフィードバック手段１０１０を付加する構成としたが、第２の実施形態で説明した行動改善システム９００にフィードバック手段１０１０を付加する構成としても構わない。図１１は、本発明の第２の実施形態に係る行動改善システム９００にフィードバック手段１０１０を付加した行動改善システム１１００における各機能を示す機能ブロック図である。行動改善システム１１００では、上述した行動改善システム１０００に比して、さらに、レコメンド情報の提示が適切であったか否かをフィードバックする点が付加されている。
【００８５】
より具体的には、ユーザには、モデルユーザ情報提示手段２５０によってモデルユーザの目標情報、行動実績情報、および応対実績情報が提示され、レコメンド提示手段９２０によってレコメンドが提示される。当該ユーザは、提示されたモデルユーザの目標情報、行動実績情報、応対実績情報、およびレコメンドを参照し、行動目標および／または結果目標を変更したり、行動および／または応対を改善したりする。その結果、モデルユーザの目標情報、行動実績情報、応対実績情報、およびレコメンドが提示される前後において評価情報に変化をもたらす。
【００８６】
フィードバック手段１０１０は、モデルユーザの目標情報、行動実績情報、応対実績情報、およびレコメンドが提示される前後における評価情報の変化をフィードバックする。例えば、成績が上昇していれば、モデルユーザの目標情報、行動実績情報、応対実績情報、およびレコメンドを提示したことによる効果があったものと判断し、さらに、当該ユーザへのモデルユーザの選択は適切であったと記録したり、レコメンドが適切であったと記録したりする。一方、成績が変化なく、または下降していれば、モデルユーザの目標情報、行動実績情報、応対実績情報、およびレコメンドを提示したことによる効果はなかったものと判断し、当該ユーザへのモデルユーザの選択は適切ではなかった、および／またはレコメンドは適切ではなかったと記録する。
【００８７】
このように、モデルユーザの目標情報、行動実績情報、応対実績情報、およびレコメンドが提示される前後における評価情報の変化をフィードバックし、当該モデルユーザの選択および／またはレコメンドの適否を蓄積していくことによって、以降のモデルユーザの選択および／またはレコメンドに活かすことができる。モデルユーザ選択手段２４０は、評価情報に基づいて、複数のユーザのうち目標となるモデルユーザを選択するが、その際、フィードバックによって蓄積されたデータに基づいて選択すれば、より最適なモデルユーザを選択することができる。同様に、レコメンド提示手段９２０もフィードバックによって蓄積されたデータに基づけば、より最適なレコメンドを選択することができる。
【００８８】
＜その他の実施形態＞
上述した本発明の第１の実施形態に係る行動改善システム２００、本発明の第２の実施形態に係る行動改善システム９００、本発明の第３の実施形態に係る行動改善システム１０００および行動改善システム１１００において、相関関係分析手段、モチベーション情報取得手段、および健康情報取得手段を備えても構わない。
【００８９】
相関関係分析手段は、実績情報取得手段２２０によって取得された行動実績情報および応対実績情報と、評価情報取得手段２３０によって取得された評価情報との相関関係を分析する。典型的には、行動実績情報および応対実績情報と評価情報とには相関関係があり、当該相関関係を分析して、ユーザに行動改善に取り組ませることが効率的である。
【００９０】
相関関係を分析する際には、想定されるパターンを予め設定しておいたり、ＡＩを用いて分析したりすればよく、客観的な結果に対する要因を把握することができるため、より適切にユーザ各々が自律的に行動改善に取り組むことができる。
【００９１】
モチベーション情報取得手段は、所定のタイミングでユーザにアンケートを促し、当該ユーザからのアンケート結果に基づいて当該ユーザの心理状態を示すモチベーション情報を取得する。
【００９２】
ユーザのモチベーションは、日々変化するものであって、当然浮き沈みがあるものであり、例えば、職場等とは全く関係のないプライベートに影響されることも当然あるが、結果目標や行動目標に対する達成度、他ユーザからの「いいね」受領または「いいね」付与とも相関関係がある。
【００９３】
ここでは、ユーザによって個人目標が設定された際、ユーザによって行動実績情報および応対実績情報が入力された際、または一定期間毎に、ユーザにアンケートを促し、当該ユーザのモチベーション情報を取得する。そして、相関関係分析手段は、行動実績情報、応対実績情報、評価情報、およびモチベーション情報の相関関係を分析する。
【００９４】
例えば、行動目標に対する達成度が低い際、通常、モチベーションも低下する傾向になると予想されるが、モデルユーザの場合には、他ユーザとの「いいね」受領および付与を繰り返すことによって、モチベーションが向上しているとする。仮にこのような相関関係を導き出すことができれば、モチベーションを踏まえて上述したレコメンドを提示することも可能になる。
【００９５】
健康情報取得手段は、ユーザの健康状態を示す健康情報を取得する。健康情報は、所定のタイミングでユーザにアンケートを促し、当該ユーザからのアンケート結果に基づいて取得しても構わないし、健康診断の結果に基づいて取得しても構わない。
【００９６】
ユーザの健康状態は、上述したモチベーションと同様に、日々変化するものであって、当然浮き沈みがあるものである。結果目標や行動目標に対する達成度と、日々の健康状態との相関関係を分析することによって、例えば、上記達成度の良いユーザや成績優秀者は、健康状態が安定している等の分析結果が取得できれば、各ユーザに対しても健康状態に注意するようにレコメンドを提示することも可能になる。
【００９７】
さらに、ここで述べた相関関係分析手段によって分析される各々の情報は、特に、図７で示しえた行動性向に応じて分析することが好ましい。ユーザにとって最適な行動改善は、各々ユーザの行動性向に依存することがあるため、客観的な結果情報だけでなく、個々のユーザに応じた行動改善に取り組ませるようにレコメンドを提示する。
【００９８】
例えば、ユーザが攻撃型である場合には、結果目標および行動目標を高く設定する傾向にあるため、その結果、達成率が低くなる。その際には、単に達成率が低いという判断をするのではなく、ユーザの行動性向を考慮しつつ判断する。
【００９９】
また、レコメンドを提供する際にもユーザの行動性向に応じて、例えば、当該ユーザのプライドを傷つけないか、過度にプレッシャーをかけるべきか等を考慮して、当該ユーザにとって最適なレコメンドを提供するようにする。
【０１００】
これらの判断およびレコメンドの提供に関しては、多くのデータを蓄積して、多様なパターンを予め設定しておけばよい。また、ＡＩを用いて学習させながら、当該多様なパターンを更新すればよい。
【０１０１】
なお、本発明の各実施形態では、ユーザ個人の行動改善に関して説明したが、本発明に係る行動改善システムおよび行動改善方法は、複数のユーザで構成される組織やグループ（例えば、会社における部署、課、プロジェクトチーム等）に応用することも可能である。具体的には、グループ目標を設定し、成績が優秀なモデルグループを選択し、当該モデルグループの情報を提示する。その際、行動実績情報および応対実績情報は、当該グループを構成する各ユーザの行動実績情報および応対実績情報を提示しても構わないし、それらを集計分析して提示しても構わない。
【０１０２】
さらに、成績が優秀なグループは、どのような属性を有するユーザで構成されているか、例えば、ユーザの行動性向が偏っているか、様々であるか、男女比や年齢層、職位のバランス等についても成績との相関関係を分析するようにしても構わない。また、当該分析結果に基づいて、レコメンドを提示するようにしても構わない。
【０１０３】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【０１０４】
本発明は、ユーザに行動改善に取り組ませる行動改善システム等に利用可能であって、特に、企業や役所の職場、学校、塾、予備校の教育現場、およびクラブやサークルにおける組織やグループ等に有用である。
【符号の説明】
【０１０５】
２００、９００、１０００、１１００  行動改善システム
２１０  目標情報設定手段
２２０  実績情報取得手段
２３０  評価情報取得手段
２４０  モデルユーザ選択手段
２５０  モデルユーザ情報提示手段
３００  行動改善方法
Ｓ３１０  目標情報設定ステップ
Ｓ３２０  実績情報取得ステップ
Ｓ３３０  評価情報取得ステップ
Ｓ３４０  モデルユーザ選択ステップ
Ｓ３５０  モデルユーザ情報提示ステップ
４００  目標情報
５００  行動実績情報
６００  行動応対情報
７００  ユーザ情報
９１０  改善点分析手段
９２０  レコメンド提示手段
１０１０  フィードバック手段
【図１】
2019235333.tif 000003
【図２】
2019235333.tif 000004
【図３】
2019235333.tif 000005
【図４】
2019235333.tif 000006
【図５】
2019235333.tif 000007
【図６】
2019235333.tif 000008
【図７】
2019235333.tif 000009
【図８】
2019235333.tif 000010
【図９】
2019235333.tif 000011
【図１０】
2019235333.tif 000012
【図１１】
2019235333.tif 000013
【国際調査報告】
2019235333.tif 000014
2019235333.tif 000015